(57)【要約】【課題】加熱調理機器に差し込まれたＳＤカードを抜かれた場合でもレシピ調理を行える加熱調理器を提供する。【解決手段】加熱手段１と、制御手段２と、情報アクセス手段4と、外部メモリ５とを備え、前記情報アクセス手段4に差し込まれた記録媒体よりレシピ情報を読み込み、前記外部メモリ５に前記レシピ情報をコピーし、調理設定時に前記外部メモリから前記レシピ情報を読み込む構成としてある。これにより、ＳＤカードを一旦差し込んで動作させれば、次からはＳＤカードなしでもレシピ調理を行うことが出来、かつ１枚のＳＤカードで複数の加熱調理器にレシピ調理のデータを提供できる。【選択図】図１
2008128513.tif 000002
【特許請求の範囲】
【請求項１】
被加熱物を加熱する加熱手段と、前記加熱手段を制御する制御手段と、ＳＤカードなどの脱着可能な記録媒体の情報を読み書きすることができる情報アクセス手段と、ＥＥＰＲＯＭなどの脱着不可能な外部メモリとを備え、前記情報アクセス手段に差し込まれた記録媒体よりレシピ情報を読み込み、前記外部メモリに前記レシピ情報をコピーし、前記外部メモリから前記レシピ情報を読み込み、この読み込んだレシピ情報に基づいて調理設定を行うことを特徴とする加熱調理器。
【請求項２】
被加熱物を加熱する加熱手段と、前記加熱手段を制御する制御手段と、ＳＤカードなどの脱着可能な記録媒体の情報を読み書きすることができる情報アクセス手段と、ＥＥＰＲＯＭなどの脱着不可能な外部メモリとを備え、前記情報アクセス手段に差し込まれた記録媒体よりレシピ情報を読み込み、前記外部メモリに要求があったレシピ情報だけをコピーし、前記外部メモリから前記レシピ情報を読み込み、この読み込んだレシピ情報に基づいて調理設定を行うことを特徴とする加熱調理器。
【発明の詳細な説明】
【技術分野】
【０００１】
本発明は、マイクロコンピュータを用いた加熱調理器に関するものである。
【背景技術】
【０００２】
従来、調理に関する情報はさまざまなメディアを用いて提供されている。しかし、それらの情報は各家庭ごとの事情に基づいた情報ではなく、提供側からの一方的な情報であった。加熱調理機器による料理のレシピの提案は予め該加熱調理機器内のマイコンに保存されているものや、該加熱調理機器を購入時に添付されていた印刷物のクックブックによるものが主流であった。
【０００３】
しかし最近は加熱調理機器を用いた料理の料理データが外部のコンピュータからダウンロード可能であるものが提供されているから、加熱調理機器の料理データの数を無限に増やすことが可能となっている。
【０００４】
このような料理データの提供がなされる背景事情としては、有職主婦の多くが家事の軽減を望んでおり、食事の準備に関しても多くの負担を感じていることが挙げられる。その中でも献立決めが負担となっているのが現実である。そこで料理に関する情報が、上述したように各種メディアで提供されるようになった。しかしながら提供される情報は上述したように提供側からの一方的な情報であった。そのために、今、家庭の冷蔵庫の中にある食材を用いて作れる料理、または最寄りのスーパーマーケットの特売品を用いて作ることができる料理の料理データを速やかに得ることが望まれていた。
【０００５】
スーパーマーケットの特売品情報は現在は、主に、新聞の折り込みチラシや、店頭から情報を入手する方法が主流であり、また、スーパーマーケットのチラシの配布は週１回程度であるから、毎日の特売品や、主に利用する最寄りのスーパーマーケットのチラシを速やかに選択するのに手間がかかっていた。
【０００６】
また各種メディアを用いて公表された料理の料理データに従い調理する際に、各家庭の調理機器の能力（出力電力など）により料理の仕上がり状態が異なるので、使用者は家庭の調理機器の機種ごとに独自の調理時間や温度などを手動で設定する必要があり、さらにそのような情報の設定は調理するごとに行なう必要があり、煩わしかった。
【０００７】
また、上述したように料理データをダウンロードして入手するためには、各家庭では特別な装置を購入して準備するのに加えて、コンピュータまたは携帯型の情報処理端末が必要とされる。また、ダウンロードしたデータの編集は加熱調理機器上でしかできないので、操作性の改良が望まれていた。
【０００８】
一方、コンビニエンスストア・レストランの厨房等で加熱調理機器が使用される際、その調理レシピは脱着可能な記録媒体（ＳＤカード）に保存されているものを使用する機器も存在する。この利点としては、季節ごとに調理レシピが変更されるので、ＳＤカードを取り出してコンビニ本部から供給されたデータをネットワークを介してダウンロードし、パソコン等で書き換えれば、変更が非常に容易となるためである。
【特許文献１】特開２００２−９８３３８号公報
【発明の開示】
【発明が解決しようとする課題】
【０００９】
しかしながら、前記従来の構成では、ＳＤカードを抜かれた場合に、レシピ調理を行え
ないという課題を有していた。また、同じ店舗で複数台の加熱調理機器の調理レシピを変更する場合でも同じ台数のＳＤカードを用意し、それぞれコピーしなければならず、コストと手間がかかるという課題を有していた。
【００１０】
本発明は前記従来の課題を解決するもので、ＳＤカードを挿入したときにＳＤカードの調理レシピのデータを外部メモリにコピーすることにより、ＳＤカードを抜かれた場合でもレシピ調理を行える構成とした加熱調理器を提供するものである。
【００１１】
また、同じ店舗で複数台の加熱調理機器の調理レシピを変更する場合でも１枚のＳＤカードを用意するだけで、それぞれ機器で同じ調理レシピを行える加熱調理器を提供することを目的とする。
【課題を解決するための手段】
【００１２】
前記従来の課題を解決するために、本発明の加熱調理器は、被加熱物を加熱する加熱手段と、前記加熱手段を制御する制御手段と、ＳＤカードなどの脱着可能な記録媒体の情報を読み書きすることができる情報アクセス手段と、ＥＥＰＲＯＭなどの脱着不可能な外部メモリとを備え、前記情報アクセス手段に差し込まれた記録媒体よりレシピ情報を読み込み、前記外部メモリにコピーし、前記外部メモリから前記レシピ情報を読み書きすることで調理設定を行うことを特徴としたものである。
【００１３】
これによって、ＳＤカードを一旦差し込んで動作させれば、次からはＳＤカードなしでもレシピ調理を行うことが出来、かつ１枚のＳＤカードで複数の加熱調理器にレシピ調理のデータを提供できる。
【発明の効果】
【００１４】
本発明の加熱調理器は、ＳＤカードを一旦差し込んで動作させれば、次からはＳＤカードなしでもレシピ調理を行うことが出来、かつ１枚のＳＤカードで複数の加熱調理器にレシピ調理のデータを提供できる。
【発明を実施するための最良の形態】
【００１５】
第１の発明は被加熱物を加熱する加熱手段と、前記加熱手段を制御する制御手段と、ＳＤカードなどの脱着可能な記録媒体の情報を読み書きすることができる情報アクセス手段と、ＥＥＰＲＯＭなどの脱着不可能な外部メモリとを備え、前記情報アクセス手段に差し込まれた記録媒体よりレシピ情報を読み込み、前記外部メモリにコピーし、前記外部メモリから前記レシピ情報を読み書きすることで調理設定を行うことを特徴としたものである。
【００１６】
これによって、ＳＤカードを一旦差し込んで動作させれば、次からはＳＤカードなしでもレシピ調理を行うことが出来、かつ１枚のＳＤカードで複数の加熱調理器にレシピ調理のデータを提供できる。
【００１７】
第２の発明は被加熱物を加熱する加熱手段と、前記加熱手段を制御する制御手段と、ＳＤカードなどの脱着可能な記録媒体の情報を読み書きすることができる情報アクセス手段と、ＥＥＰＲＯＭなどの脱着不可能な外部メモリとを備え、前記情報アクセス手段に差し込まれた記録媒体よりレシピ情報を読み込み、前記外部メモリに要求があったレシピ情報だけをコピーし、前記外部メモリから前記レシピ情報を読み書きすることで調理設定を行うことを特徴としたものである。
【００１８】
これによって、ＳＤカードからＥＥＰＲＯＭにレシピ情報をコピーする際に時間短縮が出来、加熱調理器を使用するユーザーを待たせる時間を短く出来る。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における加熱調理器のブロック図を示すものである。
【００２１】
図１において、マイクロコンピュータ6は電源が供給されたタイミングで、情報アクセス手段４に挿入された記録媒体３よりレシピ情報のデータを読み込み、外部メモリ５にレシピ情報のデータを書き込む。レシピ情報のデータは番号付けされており、例えば０１番のレシピはおにぎりのあたためで、外部メモリのアドレス００００番地から０００９番地に１ステージ目の電波ワット数のレベル情報、加熱時間情報、２ステージ目の電波ワット数のレベル情報、加熱時間情報、３ステージ目の電波ワット数のレベル情報、加熱時間情報を書き込む。ユーザーが使用する場合には番号キー（図示せず）を「０」「１」と押すだけで、おにぎりのレシピ調理データが外部メモリ５のアドレス００００番地から０００９番地より呼び出され、各ステージの電波ワット数のレベルと加熱時間が設定される。
【００２２】
この状態で、コンビニの調理機器のようにお客様に使用していただくケースもあり、記録媒体３が盗られたり、別の調理機器にレシピ調理を使用するための理由により記録媒体３が抜かれた場合でもレシピ調理を行うことが出来る。
【００２３】
以上のように、本実施例においてＳＤカードを一旦差し込んで動作させれば、次からはＳＤカードなしでもレシピ調理を行うことが出来、かつ１枚のＳＤカードで複数の加熱調理器にレシピ調理のデータを提供できる。
【００２４】
（実施の形態２）
図２は、本発明の第２の実施の形態の加熱調理器のフローチャートである。なお、実施の形態１と同一符号のものは同一構造を有し、説明は省略する。
【００２５】
まず、電源を投入された場合にマイコンはステップＳ１にて、ＳＤカードより全てのレシピ情報のデータを一時記憶メモリであるＲＡＭに読み込む。
【００２６】
次に、ステップＳ２では、一時記憶メモリであるＲＡＭに記憶された内容からレシピメニューを書き込むかどうかのリクエストデータを判断し、もし書き込み要求のデータであれば、ステップＳ３に移行し、そのレシピメニューをメニューに対応したＥＥＰＲＯＭの所定のデータ番地に書き込んでからステップＳ４へ移行する。書き込み要求のデータでなければ、そのままステップＳ４へ処理を飛ばす。
【００２７】
ステップＳ４でマイコンは最終のレシピ調理のデータかどうか判断し、もし最後のデータでなければ、ステップＳ２に処理を戻し次のレシピ調理データの書き込み判断を行い、処理を繰り返す。最後のデータならステップＳ５に移行する。
【００２８】
ステップＳ５にてマイコンは通常の処理としてキー入力があったかどうかを判断し、メニューを決定する０から９のキーを押された場合、ステップＳ６に処理を移行する。キー入力がない場合ステップＳ５にてキー入力があるまで待つ。
【００２９】
ステップＳ６にてステップＳ５で入力されたキーの数値により、メニューを決定し、メニューに応じたＥＥＰＲＯＭのデータ番地から１ステージ、２ステージ、３ステージの電波ワット数のレベル情報、加熱時間情報を読み出す。但し、レシピ調理が１１メニュー以
上ある場合は今回の例のように１桁だけの入力だけでなく、２桁入力、３桁入力を必要とする場合もある。
【００３０】
ステップＳ７にてステップＳ６で読み込まれたデータを基に調理の設定を行う。
【００３１】
この状態でスタートキーを押すと、調理をスタートできる。
【産業上の利用可能性】
【００３２】
以上のように、本発明の加熱調理器は、容易にコストダウンできるので、加熱調理器のみならず他の家電機器への展開も図れる。
【図面の簡単な説明】
【００３３】
【図１】本発明の実施の形態１における加熱調理器のブロック図
【図２】本発明の実施の形態２における加熱調理器のフローチャート
【符号の説明】
【００３４】
１  加熱手段
２  制御手段
３  記録媒体
４  情報アクセス手段
５  外部メモリ
【図１】
2008128513.tif 000003
【図２】
2008128513.tif 000004